(57)【特許請求の範囲】
【請求項１】
ソケット本体（５）と、
前記ソケット本体（５）上に設けられたエンドキャップ（６）と、
を備え、
導電デバイスは、前記ソケット本体（５）の収容溝（７）内に設けられ、
前記導電デバイスは、可動弾性プレート（１）、静止弾性プレート（２）、およびリセット弾性部材（３）を備え、
前記可動弾性プレート（１）の下端と前記静止弾性プレート（２）の下端とは回転可能に接続されており、
前記リセット弾性部材（３）は、前記可動弾性プレート（１）の外側に位置しており、前記可動弾性プレート（１）と接触しており、
前記可動弾性プレート（１）と前記静止弾性プレート（２）との間にスロット（４）が形成されており、
前記スロット（４）の幅は、内側から外側にかけて徐々に狭まっており、
前記エンドキャップ（６）は、前記リセット弾性部材（３）を覆った状態で前記ソケット本体（５）に適用でき、
前記エンドキャップ（６）には、前記可動弾性プレート（１）の回転を保証するための退位溝（８）が設けられている、
ことを特徴とするソケット。
【請求項２】
前記リセット弾性部材（３）は、円筒状ばね、ねじりばね、板ばね、または弾性ゴム部材であり、
前記リセット弾性部材（３）は、前記可動弾性プレート（１）の回転方向における外側において横向きに設けられている、
ことを特徴とする請求項１に記載の導電デバイス。
【請求項３】
前記可動弾性プレート（１）の上端と前記静止弾性プレート（２）の上端はいずれも少なくとも一度折り曲げられている、
ことを特徴とする請求項１または２に記載の導電デバイス。
【発明の詳細な説明】
【技術分野】
【０００１】
本発明は、本発明は導電デバイスを備えたソケットに関する。
【背景技術】
【０００２】
現在、多くの装置における電気的接続には抜き差し方式のものが用いられている。例えば、ハイエンド機器におけるプラグとソケットの電気的接続が挙げられる。プラグは導電円柱であるが、ソケットは導電プレートである。この導電プレートと導電円柱との接触箇所は、環状に反り曲がっている。当該接触箇所は電源プラグ導電円柱の抜き差し動作が多く繰り返されると変形しやすく緩い状態となり、接触不良を生じさせて電気的接続の安定性をより大きくしてしまう。
【発明の概要】
【発明が解決しようとする課題】
【０００３】
本発明が解決私用とする技術課題は、従来技術の欠陥を克服し、安定した電気的接触を可能とする導電デバイスを備えたソケットを提供することにある。
【課題を解決するための手段】
【０００４】
本発明の導電デバイスを備えたソケットに採用された技術方案では、ソケットは、導電デバイスと、ソケット本体と、ソケット本体に設けられたエンドキャップと、を備え、導電デバイスはソケット本体の収容溝内に設けられている。導電デバイスは可動弾性プレート、静止弾性プレートおよびリセット弾性部材を備えており、可動弾性プレートの下端と静止弾性プレートの下端とは回転可能に接続されており、リセット弾性部材は可動弾性プレートの外側に位置して可動弾性プレートと接触しており、可動弾性プレートと静止弾性プレートとの間にスロットが形成されており、スロットの幅は内側から外側にかけて徐々に狭まっている。エンドキャップはリセット弾性部材を覆った状態でソケット本体に適用でき、エンドキャップには可動弾性プレートの回転を保証するための退位溝が設けられている。
【０００５】
リセット弾性部材は円筒状ばね、ねじりばね、板ばねまたは弾性ゴム部材であり、リセット弾性部材は可動弾性プレートの回転方向の外側において横向きに設けられている。
【０００６】
可動弾性プレートの上端と静止弾性プレートの上端はいずれも少なくとも一度折り曲げられている。
【発明の効果】
【０００７】
本発明の有益な効果は、以下の通りである。本発明の導電デバイスは、可動弾性プレート、静止弾性プレートおよびリセット弾性部材を備えており、可動弾性プレートは静止弾性プレートと回転可能に接続されており、リセット弾性部材は可動弾性プレートの外側に位置して可動弾性プレートと接触しており、可動弾性プレートと静止弾性プレートとの間にスロットが形成されており、スロットの幅は内側から外側にかけて徐々に狭まっている。このため、プラグが挿入される際に、可動弾性プレートがリセット弾性部材の弾性力に逆らって静止弾性プレートに対して回動し、その後、可動弾性プレートは弾性力の作用で元の位置に戻りながらプラグと密着する。構造が破壊されるか全焼しないかぎり、接触不良は生じず、接続状態は安定する。したがって、本発明は電気的接触を安定させることが可能になる。
【図面の簡単な説明】
【０００８】
【図１】本発明の実施例１の構造の概略図である。
【図２】本発明の実施例２の構造の概略図である。
【図３】本発明の実施例３の構造の概略図である。
【発明を実施するための形態】
【実施例１】
【０００９】
図１に示すように、本実施形態の導電デバイスは、ソケットに適用される。ソケットは、導電デバイス、ソケット本体５およびエンドキャップ６を備えている。ソケット本体５は、中央に設けられた収容溝７によって中空に形成されている。導電デバイスは、収容溝７内に配置され、可動弾性プレート１、静止弾性プレート２、およびリセット弾性部材３を備えている。可動弾性プレート１は、静止弾性プレート２と回転可能に接続されている。より具体的には、可動弾性プレート１の下端が、静止弾性プレート２の下端とピンによって回転可能に接続されている。リセット弾性部材３は、可動弾性プレート１の回転方向の外側に位置し、可動弾性プレート１と接触している。リセット弾性部材３は、可動弾性プレート１の側面と接触する制限溝が設けられた板ばねである。このリセット弾性部材３の主な作用は、可動弾性プレート１を元の位置に戻すこと、および、可動弾性プレート１が静止弾性プレート２に対して回動した後にプラグの導電円柱と密着させることである。スロット４は、可動弾性プレート１と静止弾性プレート２との間に形成されており、スロット４の幅は内側から外側にかけて徐々に狭まっている。エンドキャップ６は、リセット弾性部材３を覆っており、ソケット本体５に嵌まるようになっている。このエンドキャップ６には、可動弾性プレート１の回転スペースを確保するために退位溝８が設けられている。静止弾性プレート２は、延伸した曲げプレートが設けられている。この曲げプレートは、静止弾性プレート２をソケット本体５のスペーススロットに固定するためのものである。この延伸プレートには、開口が設けられており、当該開口は電線との接続箇所である。また、導線または導柱を適用して通過させてもよい。さらに、可動弾性プレート１の上端と静止弾性プレート２の上端はいずれも少なくとも一度折り曲げられている。このため、可動弾性プレート１の上端と静止弾性プレート２の上端に多くの折り曲げ面を生じさせ、導電円柱との接触面積を拡大することができている。また、可動弾性プレート１および静止弾性プレート２の上端の内側に丸みをおびさせることで、導電円柱を容易に挿入できるようにしている。
【実施例２】
【００１０】
図２に示すように、本実施例は実質的に実施例１と同様であるが、本実施例のリセット弾性部材３が、相互に張力が働く２つの弾性板を有する板ばねである点において異なっている。このリセット弾性部材３は可動弾性プレート１と溶接固定されている。
【実施例３】
【００１１】
図３に示すように、本実施例は実質的に実施例１と同様であるが、本実施例のリセット弾性部材３が円筒状ばねである点において異なっている。可動弾性プレート１および／またはソケット本体５に位置決めロッドが設けられており、この円筒状ばねは、この位置決めロッドにおいて固定されている。
【００１２】
本願発明は、電気的接点の分野において広く用いることができる。
【図１】
0005785348.tif 000002
【図２】
0005785348.tif 000003
【図３】
0005785348.tif 000004